(57)【要約】  眼鏡用鼻当てであって、鼻支え台（２）及び針金片（３）から成る鼻支え台（２）用止め具（１）を持ち、鼻支え台が、止め具の針金片（３）の端部から曲げられる環の差込み受入れのため奥で広がるポケット（８）を持っているものが記載される。有利な構造状態を与えるため、環を形成する針金片（３）の端部がヘアピン状に曲げられており、ヘアピン状端部の両方の脚辺（５，６）を結合する橋絡辺（４）が、それに続く脚辺（５，６）に対して広げられる円形環（７）を形成し、鼻支え台のポケット（８）が、一方では奥広がり空間から離れる方向に、針金片（３）のヘアピン状に曲げられた脚辺（５，６）の面内で広がり、他方ではこの面に対して直角に、ポケット深さ全体にわたって外方へ広がっている。
2008538828.tif 000002
【特許請求の範囲】
【請求項１】
眼鏡用鼻当てであって、鼻支え台及び針金片から成る鼻支え台用止め具を持ち、鼻支え台が、止め具の針金片の端部から曲げられる環の差込み受入れのため奥で広がるポケットを持っているものにおいて、環を形成する針金片（３）の端部がヘアピン状に曲げられており、ヘアピン状端部の両方の脚辺（５，６）を結合する橋絡辺（４）が、それに続く脚辺（５，６）に対して広げられる円形環（７）を形成し、鼻支え台のポケット（８）が、一方では奥広がり空間から離れる方向に、針金片（３）のヘアピン状に曲げられた脚辺（５，６）の面内で広がり、他方ではこの面に対して直角に、ポケット深さ全体にわたって外方へ広がっていることを特徴とする、鼻当て。
【請求項２】
針金片（３）のヘアピン状に曲げられた端部の両方の脚辺（５，６）が、実質的に閉じた円形環（７）を形成する橋絡辺（４）から離れる方向に末広に広がっていることを特徴とする、請求項１に記載の鼻当て。
【請求項３】
鼻支え台（２）が環状に形成され、ポケット（８）が鼻支え台（２）の開いた環空間（１１）へ半径方向に入り込む突起（１２）の中へ延びていることを特徴とする、請求項１又は２に記載の鼻当て。
【発明の詳細な説明】
【技術分野】
【０００１】  本発明は、眼鏡用鼻当てであって、鼻支え台及び針金片から成る鼻支え台用止め具を持ち、鼻支え台が、止め具の針金片の端部から曲げられる環の差込み受入れのため奥で広がるポケットを持っているものに関する。
【背景技術】
【０００２】  眼鏡をかける人の鼻上に眼鏡を支持するため、比較的軟らかいエラストマから成る鼻支え台と例えば眼鏡の縁のブリッジに固定される止め具を持つ鼻当てが公知であり（オーストリア特許第４１１８００号明細書）、止め具を構成する針金片は、鼻支え台を受入れる端部の範囲において、ほぼ長方形の環となるように曲げられている。この環は鼻支え台の奥で広がるポケットへはまっているので、環を受入れるため奥で広がるポケットを弾性的に広げながら、鼻支え台を止め具上へはめた後、止め具と鼻支え台との間の必要な結合が行われる。しかしこのような差込み結合は、止め具と鼻支え台との相対運動を可能にしない。従ってそれぞれの鼻形状への鼻支え台の適合は、もっぱら鼻支え台の曲げ特性に関係している。【０００３】  同じような欠点は、Ｕ字状に曲げられる針金片が鼻支え台用止め具として使用される別の公知の鼻当てでも生じる。鼻支え台の突起に導入側で円錐状に広がる盲穴を設け、Ｕ字状に曲げられた針金片の自由脚辺をこの盲穴へはめることも公知である（ドイツ連邦共和国特許出願公開第３４１７２５５号明細書）。自由脚辺を止めるため、この脚辺は盲穴の奥広がり空間と共同作用するハンマ状頭部を備えており、それにより回り止めが行われる。別の構造（欧州特許出願公開第１２１７４１７号明細書）では、鼻支え台が突起の互いに対向する側に２つの溝を持ち、環となるように形成される針金片の端部がこれらの溝へはまっている。最後に、Ｕ字状に曲げられる針金片の両方の脚辺を、鼻支え台に注型される突起の２つの部分塊の間へねじにより締付け固定することも公知であり（欧州特許出願公開第００３２４７５号明細書）、これにより行われるはまり合い結合は、針金片に対する鼻支え台の限られた運動可能性を排除する。
【発明の開示】
【発明が解決しようとする課題】
【０００４】  従って本発明の基礎になっている課題は、簡単な製造及び組立の条件を維持しながら、それぞれの鼻形状への鼻支え台の改善された適合が行われるように、最初にあげた種類の眼鏡用鼻当てを構成することである。
【課題を解決するための手段】
【０００５】  本発明は、環を形成する針金片の端部がヘアピン状に曲げられており、ヘアピン状端部の両方の脚辺を結合する橋絡辺が、それに続く脚辺に対して広げられる円形環を形成し、鼻支え台のポケットが、一方では奥広がり空間から離れる方向に、針金片のヘアピン状に曲げられた脚辺の面内で広がり、他方ではこの面に対して直角に、ポケット深さ全体にわたって外方へ広がっていることによって、与えられた課題を解決する。【０００６】  環を円形環として形成する結果、止め具に対して環軸線の周りに鼻当て台を回すための前提条件が簡単に与えられる。従って環軸線の周りに鼻支え台を限られた範囲で回動可能にするために、鼻支え台のポケットを、針金片のヘアピン状に曲げられた脚辺の面内で、奥広がり空間から離れる方向に外方へ広げさえすればよい。更に鼻支え台のポケットは、ポケットの全深さにわたって、共通な脚辺面に対して直角に広がっているので、環軸線に対して直角に延びる軸線の周りにも、鼻支え台がストッパにより限定されて揺動することができ、これによりそれぞれの鼻形状への鼻支え台の自動的な適合が可能となる。なぜならば、鼻支え台は、その支持によって与えられる自由度のため、鼻へ面で当接できるからである。止め具と鼻支え台との簡単な差込み結合は、鼻支え台のこの限られて可動取付けによって妨げられることはない。鼻支え台は、従来技術と対比可能なやり方で、円形環を受入れる奥広がりのポケットを広げながら、円形環が奥広がり空間へはまるまで、止め具上へはめることができる。【０００７】  針金片ヘアピン状に曲げられた端部の両方の脚辺が、実質的に閉じた円形環を形成する橋絡辺から離れる方向に末広に広がっており、それにより環軸線の周りにおける鼻支え台の回転運動に対して回動ストッパを形成していると、特に簡単な構造状態が生じる。【０００８】  鼻支え台の止め具は比較的僅かな場所しか必要としないので、鼻支え台が環状に形成され、ポケットが鼻支え台の開いた環空間へ半径方向に入り込む突起の中へ延びているようにすることができる。開いた環空間は、それに伴う鼻支え台範囲の換気のため、高度の支持快適さを与える。【０００９】  図面には本発明の実施例が示されている。
【発明を実施するための最良の形態】
【００１０】  図示した眼鏡用鼻当ては、例えば眼鏡の縁のブリッジに係合する鼻支え台２用の止め具１を持っている。この止め具１は針金片３を含み、鼻支え台２を支える針金片の端部は、ヘアピン状に曲げられ、ヘアピン状に曲げられた針金片３の端部の両方の脚辺５，６の間の橋絡辺４は円形環７を形成し、図１からわかるようにこの円形環７は、両方の脚辺５，６に比べて広げられている。【００１１】  鼻支え台２は、針金片３のヘアピン状に曲げられて端部をはめて受入れるため奥で広がるポケット８を備えており、このポケット８は、脚辺５，６に比べて広げられた円形環７をその奥で広がる部分に受入れるように形成されている。この奥で広がるポケット部分から始まるポケット８の端壁９は、奥で広がるポケット部分から離れる方向に外方へ広がっているので、鼻支え台２は円形環７の軸線の周りに、止め具１に対して限られた範囲で回動可能に支持されている。針金片３のヘアピン状に曲げられた端部の脚辺５，６は、円形環７から外方へ末広に広がっているので、これら両方の脚辺５，６は、鼻支え台２に対して、ポケット８の端壁９と共同作用する回動ストッパをそれぞれ形成している。【００１２】  図２からわかるように、ポケット８の側壁１０も、ポケット８の全深さにわたって、従って奥で広がるポケット部分の範囲にわたっても、互いに傾斜して延びている。側壁１０の外方へ開くこの相互傾斜は、環軸線に対して直角な軸線の周りにおける鼻支え台の揺動を可能にし、それにより、それぞれの鼻形状へ鼻支え台２の姿勢を自動的に適合させることが可能になる。環軸線及びこれに対して直角な軸線の周りにおける鼻支え台２の限られた揺動可能性は、有利な適合可能性にもかかわらず、眼鏡をかけるのを妨げない鼻支え台２の初期姿勢を保証する。【００１３】  鼻支え台２を止めるための比較的少ない所要場所は、開いた環空間１１へ半径方向内方へ突出する突起１２をポケット８のために備えていればよい鼻支え台の環状構成を可能にする。この開いた環空間１１は、鼻上における鼻支え台２の載置範囲の換気を可能にし、それにより鼻当ての支持の快適さが改善される。
【図面の簡単な説明】
【００１４】
【図１】  眼鏡用の本発明による鼻当てを、鼻支え台の一部切欠いた側面図で示す。
【図２】  図１のＩＩ−ＩＩ線による断面図を示す。
【図１】
2008538828.tif 000003
【図２】
2008538828.tif 000004
【国際調査報告】
2008538828.tif 000005
2008538828.tif 000006
2008538828.tif 000007
2008538828.tif 000008
2008538828.tif 000009
2008538828.tif 000010